(57)【要約】【課題】  占有スペースが小さく、製造工程中に位置ずれを起こしたり、製造後に不要なストレスを生ずることのない電気コネクタを提供する。【解決手段】  第２ｎ／２（ｎ＝２）の接触部段２−２１に属する接触部２２１ａを備えたコンタクトの端子部２２２ａならびに接触部２２１ｂを備えたコンタクトの端子部２２２ｂが、インシュレータ１０の幅方向Ｗに並ぶ順番に、第１の端子部段１−２２ならびに第２の端子部段２−２２に交互に振り分けて配列されている。【選択図】      図２
2009199743.tif 000002
【特許請求の範囲】
【請求項１】
インシュレータと、該インシュレータの幅方向に並んで配置された複数のコンタクトとを有し、
前記複数のコンタクトはそれぞれ、第１の接続対象と取り外し可能に接続する接触部と、第２の接続対象に接続固定される端子部とを備え、
前記複数のコンタクトの前記接触部は、前記インシュレータの前記幅方向に直交する縦方向に順次積み重なる第１乃至第２ｎ−１（ｎは、２以上の整数）の接触部段として配列され、
前記第１乃至第（２ｎ／２）−１の接触部段に属する接触部を備えたコンタクトの前記端子部は、前記インシュレータの前記縦方向に積み重なる第１の端子部段として配列され、
第（２ｎ／２）＋１乃至前記第２ｎ−１の接触部段に属する接触部を備えたコンタクトの前記端子部は、前記インシュレータの前記縦方向に積み重なる第２の端子部段として配列される電気コネクタにおいて、
第２ｎ／２の接触部段に属する接触部を備えたコンタクトの前記端子部は、前記インシュレータの前記幅方向に並ぶ順番に、前記第１の端子部段および前記第２の端子部段に交互に振り分けて配列されることを特徴とする電気コネクタ。
【請求項２】
第ｎ−ｍ（ｍは、１以上かつｎ未満の整数）の接触部段に属する接触部を備えたコンタクトおよび前記第ｎ＋ｍの接触部段に属する接触部を備えたコンタクトは、同一形状を呈し、
前記第２ｎ／２の接触部段に属する接触部を備えたコンタクトは、同一形状を呈する請求項１に記載の電気コネクタ。
【請求項３】
第２の接続対象は、板状を呈するものであり、
前記第１の端子部段および前記第２の端子部段はそれぞれ、第２の接続対象の第１の板面および第２の板面に接続固定される請求項１または２に記載の電気コネクタ。
【請求項４】
前記複数のコンタクトは、弾性を有し、
前記第１の端子部段および前記第２の端子部段は、第２の接続対象をその厚さ方向に挟持するように接続固定される請求項３に記載の電気コネクタ。
【発明の詳細な説明】
【技術分野】
【０００１】
本発明は、電気コネクタに関し、特に、インシュレータの幅方向に並んで配置された複数のコンタクトがそれぞれ相手コネクタ等の第１の接続対象に接触可能な接触部と、プリント基板等の第２の接続対象に接続固定される端子部とを備えた電気コネクタに関する。
【背景技術】
【０００２】
この種の電気コネクタとして、複数のコンタクトの接触部が、インシュレータ（ハウジング）の縦方向に順次積み重なる複数の接触部段として配列される一方、各接触部段に属する接触部を備えたコンタクトの端子部がそれぞれ、インシュレータの縦方向に積み重なる２つの端子部段の一方または他方として振り分けられて配列されるものがある。
【０００３】
特許文献１には、複数のコンタクトの接触部が、インシュレータの幅方向に直交する縦方向に順次積み重なる第１の接触部段、第２の接触部段、第３の接触部段、および第４の接触部段として配列された電気コネクタが開示されている。特許文献１において、第１の接触部段に属する接触部を備えたコンタクトの端子部ならびに第４の接触部段に属する接触部を備えたコンタクトの端子部はそれぞれ、インシュレータの縦方向に積み重なる第１の端子部段ならびに第２の端子部段として配列されている。また、第２の接触部段に属する接触部を備えたコンタクトの端子部ならびに第３の接触部段に属する接触部を備えたコンタクトの端子部はそれぞれ、第１の端子部段ならびに第２の端子部段として配列されている。
【０００４】
【特許文献１】特開平７−３３５３４３号公報
【発明の開示】
【発明が解決しようとする課題】
【０００５】
特許文献１のように偶数の接触部段を有する電気コネクタの場合には、コンタクトの端子部は２つの端子部段にバランスよく振り分けられる。
【０００６】
しかし、奇数段の接触部段を有する電気コネクタの場合には、二段の端子部段のうちの一方の段に、真ん中段の接触部段（例えば、全三段の接触部段のときの第２段の接触部段、全五段の接触部段のときの第３段の接触部段）に属する接触部を備えたコンタクトの端子部が、二段の端子部段のうちの他方の段よりも余計に、振り分けられることになる。
【０００７】
このように二段の端子部段のうちの他方の段よりも多くの端子部が振り分けられる一方の段は、コンタクト数（端子数）が多くなり、一方の占有スペースがバランス悪く増えることになり、コネクタ全体として特に幅方向の占有スペースが大きく、小型化に不利である。
【０００８】
また、二段の端子部段の間にプリント基板等の板形状の第２の接続対象を挟み込むように第２の接続対象に取り付けられるタイプにおいては、一方の板面に対するハンダ付け箇所が増えることになり、固定のバランスが悪く、第２の接続対象に対する所謂座りが悪く、端子部をハンダ付けする前の仮留め時に傾いてしまい、正規の位置からずれる可能性があるし、端子部をハンダ付けした後は、不要なストレスがハンダ付け部にかかる虞がある。
【０００９】
それ故、本発明の課題は、占有スペースが小さく、製造工程中に位置ずれを起こしたり、製造後に不要なストレスを生ずることのない、接触部が奇数の接触部段に配列されたコンタクトを有する電気コネクタを提供することである。
【課題を解決するための手段】
【００１０】
本発明によれば、インシュレータと、該インシュレータの幅方向に並んで配置された複数のコンタクトとを有し、前記複数のコンタクトはそれぞれ、第１の接続対象と取り外し可能に接続する接触部と、第２の接続対象に接続固定される端子部とを備え、前記複数のコンタクトの前記接触部は、前記インシュレータの前記幅方向に直交する縦方向に順次積み重なる第１〜第２ｎ−１（ｎは、２以上の整数）の接触部段として配列され、前記第１〜第（２ｎ／２）−１の接触部段に属する（位置する、組み込まれる）接触部を備えたコンタクトの前記端子部は、前記インシュレータの前記縦方向に積み重なる第１の端子部段として配列され、第（２ｎ／２）＋１〜前記第２ｎ−１の接触部段に属する（位置する、組み込まれる）接触部を備えたコンタクトの前記端子部は、前記インシュレータの前記縦方向に積み重なる第２の端子部段として配列される電気コネクタにおいて、第２ｎ／２の接触部段に属する（位置する、組み込まれる）接触部を備えたコンタクトの前記端子部は、前記インシュレータの前記幅方向に並ぶ順番に、前記第１の端子部段および前記第２の端子部段に交互に振り分けて配列されることを特徴とする電気コネクタが得られる。
【００１１】
尚、第ｎ−ｍ（ｍは、１以上かつｎ未満の整数）の接触部段に属する接触部を備えたコンタクトおよび前記第ｎ＋ｍの接触部段に属する接触部を備えたコンタクトが同一形状を呈し、前記第２ｎ／２の接触部段に属する接触部を備えたコンタクトが同一形状を呈していてもよい。
【００１２】
また、第２の接続対象が板状を呈するものであり、前記第１の端子部段および前記第２の端子部段はそれぞれ、第２の接続対象の第１の板面および第２の板面に接続固定されてもよい。この場合、前記複数のコンタクトが弾性を有し、前記第１の端子部段および前記第２の端子部段が第２の接続対象をその厚さ方向に挟持するように接続固定されてもよい。
【発明の効果】
【００１３】
本発明による電気コネクタは、接触部が奇数の接触部段に配列されたコンタクトを有しているけれども、占有スペースが小さく、製造工程中に位置ずれを起こしたり、製造後に不要なストレスを生ずることがない。
【００１４】
また、同一形状の複数のコンタクトを有しているため、種々の形状のコンタクトを個別の金型を用意して作り分ける必要がなく、製造コストを抑えることができる。
【発明を実施するための最良の形態】
【００１５】
以下、図面を参照して本発明による電気コネクタの一実施形態を説明する。
【００１６】
図１（ａ）および（ｂ）、図２（ａ）〜（ｄ）、図３、ならびに図４を参照すると、本実施形態の電気コネクタは、絶縁材料から成るインシュレータ（ハウジング）１０と、インシュレータ１０の幅方向Ｗに並んで配置された金属製の複数のコンタクトと、インシュレータ１０を覆う金属シェル３０とを有している。
【００１７】
複数のコンタクトはそれぞれ、図示しない相手コネクタ等の第１の接続対象と取り外し可能に接続する接触部１２１、２２１ａおよび２２１ｂ、ならびに３２１と、第２の接続対象として例えばプリント基板５００（図４にのみ図示）に接続固定される端子部１２２、２２２ａおよび２２２ｂ、ならびに３２２とを備えている。尚、図４中の符号６００は、プリント基板５００を有する電子機器もしくは電子モジュールの筐体の一部もしくはパネルを示している。
【００１８】
複数のコンタクトの接触部は、インシュレータ１０の幅方向に直交する縦方向に順次積み重なる第１〜第２ｎ−１（ｎは、２以上の整数）の接触部段として配列されている。つまり、全部で３以上の奇数の接触部段として配列されている。本実施形態ではｎ＝２であって三段の接触部段、即ち、第１、第２、ならびに第３の接触部段１−２１、２−２１、ならびに３−２１として配列されている。
【００１９】
全部で３以上の奇数段のうちの前半である第１〜第（２ｎ／２）−１の接触部段の接触部段、即ち本実施形態では第１の接触部段１−２１に属する接触部１２１を備えたコンタクト（本実施形態では７本）の端子部１２２は、インシュレータ１０の縦方向Ｖに積み重なる第１の端子部段１−２２として配列されている。
【００２０】
一方、全部で３以上の奇数段のうちの後半である第（２ｎ／２）＋１〜第２ｎ−１の接触部段、即ち本実施形態では第３の接触部段３−２１に属する接触部３２１を備えたコンタクト（本実施形態では７本）の端子部３２２は、インシュレータ１０の縦方向Ｖに積み重なる第２の端子部段２−２２として配列されている。
【００２１】
さらに、全部で３以上の奇数段のうちの真ん中の段である第２ｎ／２の接触部段、即ち本実施形態では第２の接触部段２−２１に属する接触部２２１ａを備えたコンタクト（本実施形態では３本）の端子部２２２ａと、同じく第２の接触部段２−２１に属する接触部２２１ｂを備えたコンタクト（本実施形態では３本）の端子部２２２ｂは、それらの接触部−端子部間の連結部が略クランク状に屈曲していることにより、インシュレータ１０の幅方向Ｗに並ぶ順番に、第１の端子部段１−２２と、第２の端子部段２−２２に、交互に振り分けて配列されている。
【００２２】
即ち、本実施形態においては、第２の接触部段２−２１に属する接触部２２１ａを備えたコンタクトの端子部２２２ａが第１の端子部段１−２２に配列される一方、同じく第２の接触部段２−２１に属する接触部２２１ｂを備えたコンタクトの端子部２２２ｂが第２の端子部段２−２２に配列されている。
【００２３】
よって、本電気コネクタは、接触部が奇数の接触部段に配列されたコンタクトを有しているけれども、二段の端子部ではバランス良く振り分けられており、占有スペースが小さく、製造工程中に位置ずれを起こしたり、製造後に不要なストレスを生ずることがない。
【００２４】
尚、第１の端子部段１−２２および第２の端子部段２−２２はそれぞれ、プリント基板５００の第１の板面および第２の板面に接続固定されている。特に、本電気コネクタのコンタクトは弾性を有しており、第１の端子部段１−２２および第２の端子部段２−２２はプリント基板５００をその厚さ方向に挟持するように接続固定される。
【００２５】
また、真ん中の接触部段を中心として線対称に位置する段の対である第ｎ−ｍ（ｍは、１以上かつｎ未満の整数）の接触部段、即ち、本実施形態では第１の接触部段１−２１に属する（位置する、組み込まれる）接触部１２１を備えたコンタクトと、第ｎ＋ｍの接触部段、即ち、本実施形態では第３の接触部段３−２１に属する（位置する、組み込まれる）接触部３２１を備えたコンタクトとの合計１４本のコンタクトは全て、同一形状を呈している。即ち、接触部１２１を備えたコンタクトと、接触部３２１を備えたコンタクトとは、縦方向Ｖ（図３中の上下方向）に関して上下反転した態勢で組み込まれている。
【００２６】
さらに、真ん中の接触部段である第２ｎ／２の接触部段、即ち、本実施形態では第２の接触部段２−２１に属する（位置する、組み込まれる）接触部２２１ａおよび２２１ｂを備えた合計６本のコンタクトは全て、同一形状を呈している。そして、接触部２２１ａを備えたコンタクトは接触部１２１を備えたコンタクトと同じ態勢で、接触部２２１ｂを備えたコンタクトは接触部３２１を備えたコンタクトと同じ態勢で組み込まれており、したがって、接触部２２１ａを備えたコンタクトと、接触部２２１ｂを備えたコンタクトとは、縦方向Ｖ（図３中の上下方向）に関して上下反転した態勢で組み込まれている。
【００２７】
このように、本電気コネクタにおいては、第２の接触部段２−２１の接触部段に属する（位置する、組み込まれる）接触部２２１ａおよび２２１ｂを備えたコンタクトは全て同一形状を呈しており、本電気コネクタの全段のコンタクトを製造するのに際して上記１４本のコンタクト用と上記６本のコンタクト用との二種類の形状の金型を用意すればよい。
【産業上の利用可能性】
【００２８】
以上、一実施形態を挙げて本発明を説明してきたが、本発明がその要旨から逸脱しない限りは、種々に変形可能であることは言うまでもない。例えば、コンタクトの接触部の段数は三段に限らず、奇数段であれば五段や七段等であってもよい。
【図面の簡単な説明】
【００２９】
【図１】本発明の一実施形態による電気コネクタを示す図であり、（ａ）は正面右側上方から見た斜視図、（ｂ）は背面左側上方から見た斜視図である。
【図２】図１に示された電気コネクタを示す図であり、（ａ）は上面図、（ｂ）は正面図、（ｃ）は背面図、（ｄ）は右側面図である。
【図３】図１に示された電気コネクタの断面図である。
【図４】図１に示された電気コネクタをプリント基板に取り付けたときの上面図である。
【符号の説明】
【００３０】
１−２１  第１の接触部段
２−２１  第２の接触部段
３−２１  第３の接触部段
１−２２  第１の端子部段
２−２２  第２の端子部段
１０    インシュレータ
３０    金属シェル
１２１、２２１ａ、２２１ｂ、３２１    接触部
１２２、２２２ａ、２２２ｂ、３２２    端子部
【図１】
2009199743.tif 000003
【図２】
2009199743.tif 000004
【図３】
2009199743.tif 000005
【図４】
2009199743.tif 000006